(57)【要約】【課題】入浴者が効率よく酸素浴を行うことができる酸素浴装置を提供することを目的とする。【解決手段】シャワー装置９の湯水噴出ノズル１４近傍に酸素供給装置１８に接続した酸素噴出ノズル１５を設け酸素２２を噴出することにより、シャワーの噴出により形成される霧状の湯水に沿って酸素が噴出されるため、酸素が浴室全体に拡散せず、入浴者に集中的に酸素を供給することができるため効率よく酸素浴を行うことができる。【選択図】図１
2006075482.tif 000002
【特許請求の範囲】
【請求項１】
シャワー装置の湯水噴出ノズル近傍に酸素供給装置に接続した酸素噴出ノズルを設け酸素を噴出する酸素浴装置。
【請求項２】
シャワー装置は複数の湯水噴出ノズルを備え、噴出した湯水で人体を包み込む噴霧空間を形成し、前記噴霧空間内に酸素噴出ノズルから酸素を噴出する請求項１に記載の酸素浴装置。
【請求項３】
入浴者の鼻口部近傍に対応する位置に酸素噴出ノズルを設け、酸素を噴出する請求項２に記載の酸素浴装置。
【請求項４】
湯水噴出ノズルは人体に向かって湯水を噴出する方向に設置し、湯水噴出方向と酸素噴出方向が同方向になるように酸素噴出ノズルを設置した請求項１記載の酸素浴装置。
【発明の詳細な説明】
【技術分野】
【０００１】
本発明は浴室で酸素浴を行う酸素浴装置に関するものである。
【背景技術】
【０００２】
従来、この種の酸素浴装置は浴室の壁面、特に浴槽近傍の壁面に酸素噴出口を設けて入浴者の近傍に酸素を噴出したり、浴槽上方の天井からダクトを介して浴室内に酸素を噴出させることにより、主に浴槽に入浴中の入浴者に酸素を供給する構成であった（例えば、特許文献１参照）。
【０００３】
図４、図５は、特許文献１に記載された従来の酸素浴装置を示すものである。
【０００４】
図４に示すように浴室１に設置した浴槽２近傍の側壁３に酸素噴出口４を設け、浴槽に入浴中の入浴者が酸素を吸引できる構成である。また、図５に示すように浴槽２の上方の天井５にダクト６設置し、入浴者の近傍に酸素を噴出する構成となっている。
【特許文献１】特開平８−１８９２１１号公報
【発明の開示】
【発明が解決しようとする課題】
【０００５】
しかしながら、前記従来の構成では、浴室内全体に酸素が拡散しやすく、入浴者への酸素の供給が不効率であるという課題を有していた。
【０００６】
本発明は、前記従来の課題を解決するもので、入浴者が効率よく酸素浴を行うことができる酸素浴装置を提供することを目的とする。
【課題を解決するための手段】
【０００７】
前記従来の課題を解決するために、本発明の酸素浴装置はシャワー装置の湯水噴出ノズル近傍に酸素供給装置に接続した酸素噴出ノズルを設け酸素を噴出するものである。
【０００８】
これによって、シャワーの噴出により形成される霧状の湯水に沿って酸素が噴出されるため、酸素が浴室全体に拡散せず、入浴者に集中的に酸素を供給することができる。
【発明の効果】
【０００９】
本発明の酸素浴装置は、酸素が浴室全体に拡散することを抑制し、入浴者に効率的に酸素を供給することができ、入浴者にリラックス、疲労回復、視力向上等のリフレッシュの効果を提供することができる。
【発明を実施するための最良の形態】
【００１０】
第１の発明はシャワー装置の湯水噴出ノズル近傍に酸素供給装置に接続した酸素噴出ノズルを設け酸素を噴出することにより、シャワーの噴出により形成される霧状の湯水に沿って酸素が噴出されるため、酸素が浴室全体に拡散せず、入浴者に集中的に酸素を供給することができるため、入浴者は効率よく酸素を摂取することでリフレッシュ効果を高めることができる。
【００１１】
第２の発明は、特に、第１の発明のシャワー装置が複数の湯水噴出ノズルを備え、噴出した湯水で人体を包み込む噴霧空間を形成し、前記噴霧空間内に酸素噴出ノズルから酸素を噴出することにより、主に入浴者の身体の表面部分に酸素を供給し温熱効果を向上させることによりリフレッシュ効果を高めることができる。
【００１２】
第３の発明は、特に、第２の発明の入浴者の鼻口部近傍に対応する位置に酸素噴出ノズルを設け、酸素を噴出することにより、入浴者は身体の表面部分の温熱効果に加え、直接酸素を摂取しやすくなり、よりリフレッシュ効果を高めることができる。
【００１３】
第４の発明は、特に、第１の発明の湯水噴出ノズルを人体に向かって湯水を噴出する方向に設置し、湯水噴射方向と酸素噴出方向が同方向になるように酸素噴出ノズルを設置することにより、湯水噴出と同方向に酸素を噴出することにより噴霧ノズルからの噴霧流に沿って酸素が入浴者に運ばれるため、入浴者の体温が上昇した場合でも息苦しさを感じることがなく、リラックスしてシャワー浴ができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態の酸素浴装置の斜視図を示すものであり、図２は第１の実施の形態における酸素浴装置の側面図を示すものである。
【００１６】
図において、浴室７の壁面８に設置したシャワー装置９は本体１０の上部左右には上下回動自在のアーム１１を枢支しており、本体１０の下部には入浴者１２が着座できる収納および着脱可能な着座手段１３が設置してある。
【００１７】
アーム１１には複数の湯水噴出ノズル１４とその近傍には左右各１個の酸素噴出ノズル１５を設けており、湯水噴出ノズル１４は一般のシャワーノズルより穴径を小さくし、かつ湯水を旋回して噴出することにより霧状に噴霧できる。また湯水噴出ノズル１４と酸素噴出ノズル１５は入浴者１２の身体に最適な方向に噴出するため設置角度が調節可能な構成となっている。
【００１８】
本体１０の前面には入浴者１２の背面に向かって複数の湯水噴出ノズル１４が設置してあり、また入浴者の鼻口部近傍に対応する位置には酸素噴出ノズル１６が設置してある。
【００１９】
酸素噴出ノズル１５と１６は浴室７の天井裏１７に設置した酸素供給装置１８と接続パイプ１９を介して連通し、酸素供給装置１８より酸素が供給できる構成となっており、湯水噴霧ノズル１４は浴室外に設置した給湯器と接続管を介して連通し、給湯器から湯水が供給できる構成となっている。
【００２０】
以上のように構成された酸素浴装置について、以下その動作、作用を説明する。
【００２１】
入浴者１２は着座手段１３に着座し、アーム１１を回動して身体の前方に設置し、湯水噴出ノズル１４から給湯器から供給される湯２０を主に肩から下の部分に向けて噴出する。噴出した湯は霧状となって入浴者１２の肩から下を包み込むように噴霧空間２１を形成し、入浴者１５は浴槽に入浴したときと同様の温熱効果を得ることができる。
【００２２】
湯水噴出ノズル１４の噴出と同時に、酸素噴出ノズル１５より濃度は２５〜４０％程度の酸素２１を噴出すると、酸素２２は入浴者の身体を包み込む噴霧空間２１内に放出され、噴射された湯２０と一体となって入浴者１５の皮膚表面に当たり皮膚が活性化することにより、よりリラックス効果とリフレッシュ効果を高めることができる。
【００２３】
さらに、湯水噴出ノズル１４の噴出と同時に、酸素噴出ノズル１６からも酸素２２を噴出すると、酸素２２は入浴者１２の呼吸に直接働きかけるため酸素を吸込みやすくリラックス効果とリフレッシュ効果をより確実に得ることができ、また身体の温度が上昇した場合でも息苦しさを緩和することができる。
【００２４】
なお、本実施の形態では、酸素噴出ノズルをシャワー装置９の本体１０とアーム１１の両方に設置し、同時に酸素を噴出させたが、一方のみを単独で噴出させてもリラックスおよびリフレッシュの効果を得ることができる。また、本体１０またはアーム１１の一方のみに酸素噴出ノズルを設置したものでも相応の効果を得ることができるし、特に入浴者の鼻口部近傍に対応する酸素噴出ノズル１６はシャワー装置９の本体１０に設置したが鼻口部近傍に対応するアーム１１に設置しても同様の効果を得ることができる。
【００２５】
また、本実施の形態では、酸素噴出ノズルを湯水噴出ノズルを複数個設け入浴者の身体を包み込むシャワー装置に設置したが、これに限ることではなく一般的に浴室で使用されるハンドシャワー等のシャワー装置であっても相応の効果が発揮できる。
【００２６】
（実施の形態２）
図３は本発明の第２の実施の形態の酸素浴装置の平面図を示すものである。  
【００２７】
図に示すように浴室７の壁面８に湯をミスト状に噴霧するシャワー装置であるミスト発生装置２３を設置してある。ミスト発生装置２３は給湯機からの湯をノズル内で旋回させて噴霧し、上下に可動可能なミストノズル２４を横に複数個並べて設けた構成である。ミスト発生装置２３のミストノズル２４から噴霧する湯温は６０℃程度の高温であり、噴霧した湯でミスト気流２５が発生する。入浴者１２はミスト発生装置２３の正面前方に離れて着座しミスト浴を行うが、高温のミスト気流２５により離れていても十分サウナ浴が得られる。
【００２８】
前記噴霧ノズル２４の近傍に酸素供給装置と連通する酸素噴出ノズル２６を設け、湯を噴霧方向と同方向に酸素２２を噴出する構成となっている。
【００２９】
なお、実施の形態１と同一符号のものは同一構造とし説明は省略する。
【００３０】
上記構成とすることによりミスト発生装置２２からの湯の噴霧方向と酸素の噴出方向が同方向のため酸素がミスト気流２５にのりやすく、酸素２２を使用者のいる位置まで確実に運ぶことができる。
【００３１】
また、ミストでのサウナ浴は比較的高温になるため長時間入浴していると息苦しくなることがあが、その場合入浴者が酸素２２を吸引することで呼吸が楽になる。
【００３２】
なお酸素噴出ノズル２４は１個でもよいし、複数個設けてもよい。またミストノズル２４は縦にならべて可動できる構成にしてもよい。
【００３３】
また、本実施の形態ではミスト発生装置２２は給湯機からの湯をノズル内で旋回させて噴霧するものとしたが、熱交換器で発生した湯気をモーターから送出するものであってもよい。
【図面の簡単な説明】
【００３４】
【図１】本発明の実施の形態１における酸素浴装置の斜視図
【図２】本発明の実施の形態１における酸素浴装置の側面図
【図３】本発明の実施の形態２における酸素浴装置の平面図
【図４】従来の酸素浴装置の断面図
【図５】従来の酸素浴装置の断面図
【符号の説明】
【００３５】
９  シャワー装置
１４  湯水噴出ノズル
１５、１６、２６  酸素噴出ノズル
１８  酸素供給装置
２１  噴霧空間
２２  酸素
【図１】
2006075482.tif 000003
【図２】
2006075482.tif 000004
【図３】
2006075482.tif 000005
【図４】
2006075482.tif 000006
【図５】
2006075482.tif 000007